【手続補正書】
【提出日】平成29年11月21日(2017.11.21)
【手続補正１】
【補正対象書類名】特許請求の範囲
【補正対象項目名】全文
【補正方法】変更
【補正の内容】
【特許請求の範囲】
【請求項１】
品目を位置特定するための方法であって、
コンピュータシステムによって、第１のモバイルデバイスによって訪問された第１の複数のロケーションを示す第１のロケーション履歴を受信することと、
前記コンピュータシステムによって、前記第１のモバイルデバイスから、見つかった第１のタイプの品目の第１の指示を受信することと、
前記コンピュータシステムによって、第２のモバイルデバイスによって訪問された第２の複数のロケーションを示す第２のロケーション履歴を受信することと、
前記コンピュータシステムによって、前記第２のモバイルデバイスから、見つかった前記第１のタイプの品目の第２の指示を受信することと、
前記コンピュータシステムによって、前記第１の複数のロケーションおよび前記第２の複数のロケーションに基づいて、前記第１のタイプの品目のロケーションを決定することと
を備える方法。
【請求項２】
前記それぞれの第１および第２の指示は各々、前記第１のタイプの品目のそれぞれの第１および第２の発見時間を備え、前記第１のタイプの品目の前記ロケーションを決定することは、前記第１および第２の発見時間にさらに基づく、請求項１に記載の方法。
【請求項３】
前記それぞれの第１および第２の複数のロケーションは各々、
前記それぞれの第１および第２の発見時間から閾時間期間内に前記それぞれの第１および第２のモバイルデバイスによって訪問されたロケーション、または
前記それぞれの第１および第２のモバイルデバイスが、前記それぞれの第１および第２のモバイルデバイスによって、静止している、実質的に静止している、もしくは前記第１のタイプの品目を入手することに一致する動きをしていると決定されたロケーションおよび時間
のうちの少なくとも１つを備える、請求項２に記載の方法。
【請求項４】
前記第１のモバイルデバイスが前記ロケーションに存在することと、前記第１の発見時間との間に経過した時間に基づいて、前記第１の複数のロケーションの各ロケーションを重み付けすることと、ここにおいて、ロケーションの前記重みは、経過した前記時間が削減されると増す、
前記第２のモバイルデバイスが前記ロケーションに存在することと、前記第２の発見時間との間に経過した時間に基づいて、前記第２の複数のロケーションの各ロケーションを重み付けすることと、ここにおいて、ロケーションの前記重みは、経過した前記時間が削減されると増す、
前記重み付けに基づいて前記品目の前記ロケーションを決定することと
をさらに備える、請求項２に記載の方法。
【請求項５】
前記第１の指示は、前記第１のタイプの品目を見つけることに対応する前記第１の複数のロケーション中のロケーションを備え、
前記第２の指示は、前記第１のタイプの品目を見つけることに対応する前記第２の複数のロケーション中のロケーションを備える、請求項１に記載の方法。
【請求項６】
前記コンピュータシステムによって、前記第１のロケーション履歴および前記第２のロケーション履歴が特定の店舗に関連付けられていると決定することと、
前記コンピュータシステムによって、前記第１のタイプの品目の前記決定されたロケーションに基づいて、前記第１のタイプの品目を前記特定の店舗の内装レイアウトのマップ上のロケーションに関連付ける情報を作成することと、
をさらに備える、請求項１に記載の方法。
【請求項７】
前記第１のタイプの品目の前記ロケーションについての要求を受信することと、
前記第１のタイプの品目の前記ロケーションを与えることと、ここにおいて、前記与えられるロケーションは、前記決定されたロケーションであり、前記与えられるロケーションは、好ましくは、基準ロケーションと、前記基準ロケーションに相対したロケーションとを備え、
をさらに備え、
前記方法は、好ましくは、
前記第１のタイプの品目を取り出すための経路を決定することと、
前記経路を与えることと、
をさらに備える、請求項１に記載の方法。
【請求項８】
前記コンピュータシステムによって、第２のタイプの品目のロケーションを決定することと、
前記コンピュータシステムによって、前記第１のタイプの品目および前記第２のタイプの品目が、あるカテゴリの一部であると決定することと、
前記第１のタイプの品目の前記ロケーションおよび前記第２のタイプの品目の前記ロケーションに基づいて、前記カテゴリに対応するエリアを決定することと、
をさらに備える、請求項１に記載の方法。
【請求項９】
前記第１のロケーション履歴は基準ロケーションを備え、前記基準ロケーションは、前記第１のタイプの品目の前記ロケーション、第２のタイプの品目のロケーションまたは既知のロケーションのうちの少なくとも１つに対応する、
前記第１のタイプの品目の前記ロケーションを決定することは、前記基準ロケーションに部分的に基づく、請求項１に記載の方法。
【請求項１０】
モバイルデバイスにおいて品目を位置特定するための方法であって、
前記モバイルデバイスによって訪問された複数のロケーションを示す、前記モバイルデバイスについてのロケーション履歴を決定することと、
第１のタイプの品目が前記モバイルデバイスのユーザによって見つけられたという第１の指示を受信することと、
前記ロケーション履歴と、前記第１のタイプの品目が見つかったという第２の指示とを、コンピュータシステムに送ることと、
を備え、
前記複数のロケーションは、
前記第１の指示が受信された時間から閾時間期間内に、前記モバイルデバイスによって訪問されたロケーション、または
前記モバイルデバイスが、前記モバイルデバイスによって、静止している、実質的に静止している、もしくは前記第１のタイプの品目を入手することに一致する動きをしていると決定されたロケーション
のうちの少なくとも１つを備える、方法。
【請求項１１】
前記第２の指示は、前記第１の指示が受信された時間を備える、請求項１０に記載の方法。
【請求項１２】
前記複数のロケーションは、
前記モバイルデバイスが、前記モバイルデバイスによって、静止している、実質的に静止している、もしくは前記第１のタイプの品目を入手することに一致する動きをしていると決定されたロケーションを備える、請求項１１に記載の方法。
【請求項１３】
前記モバイルデバイスが前記ロケーションに存在することと、前記第１の指示が受信された前記時間との間に経過した時間に基づいて、前記複数のロケーションの各ロケーションを重み付けすることと、ここにおいて、ロケーションの前記重みは、経過した前記時間が削減されると増す、
各ロケーションの前記重みを、前記コンピュータシステムに送られる前記ロケーション履歴中に含めることと
をさらに備える、請求項１１に記載の方法。
【請求項１４】
第１のモバイルデバイスによって訪問された第１の複数のロケーションを示す第１のロケーション履歴を受信するための手段と、
前記第１のモバイルデバイスから、見つかった第１のタイプの品目の第１の指示を受信するための手段と、
第２のモバイルデバイスによって訪問された第２の複数のロケーションを示す第２のロケーション履歴を受信するための手段と、
前記第２のモバイルデバイスから、見つかった前記第１のタイプの品目の第２の指示を受信するための手段と、
前記第１の複数のロケーションおよび前記第２の複数のロケーションに基づいて、前記第１のタイプの品目のロケーションを決定するための手段と
を備える装置。
【請求項１５】
モバイルデバイスによって訪問された複数のロケーションを示す、前記モバイルデバイスについてのロケーション履歴を決定するための手段と、
第１のタイプの品目が前記モバイルデバイスのユーザによって見つけられたという第１の指示を受信するための手段と、
前記ロケーション履歴と、前記第１のタイプの品目が見つかったという第２の指示とを、コンピュータシステムに送るための手段と
を備え、
前記複数のロケーションは、
前記第１の指示が受信された時間から閾時間期間内に、前記モバイルデバイスによって訪問されたロケーション、または
前記モバイルデバイスが、前記モバイルデバイスによって、静止している、実質的に静止している、もしくは前記第１のタイプの品目を入手することに一致する動きをしていると決定されたロケーション
のうちの少なくとも１つを備える、装置。
【手続補正２】
【補正対象書類名】明細書
【補正対象項目名】０１１８
【補正方法】変更
【補正の内容】
【０１１８】
[0141]いくつかの例示的な構成について説明してきたが、様々な修正、代替構成、および均等物は、本開示の趣旨から逸脱することなしに使用され得る。たとえば、上記の要素は、より大きいシステムの構成要素であり得、ここにおいて、他のルールが、本発明の適用例よりも優先するかまたはさもなければ本発明の適用例を変更し得る。また、上記の要素が考慮される前に、考慮されている間に、または考慮された後に、いくつかのステップが行われ得る。
以下に本願の出願当初の特許請求の範囲に記載された発明を付記する。
[Ｃ１]  品目を位置特定するための方法であって、
コンピュータシステムによって、第１のモバイルデバイスによって訪問された第１の複数のロケーションを示す第１のロケーション履歴を受信することと、
前記コンピュータシステムによって、前記第１のモバイルデバイスから、見つかった第１のタイプの品目の第１の指示を受信することと、
前記コンピュータシステムによって、第２のモバイルデバイスによって訪問された第２の複数のロケーションを示す第２のロケーション履歴を受信することと、
前記コンピュータシステムによって、前記第２のモバイルデバイスから、見つかった前記第１のタイプの品目の第２の指示を受信することと、
前記コンピュータシステムによって、前記第１の複数のロケーションおよび前記第２の複数のロケーションに基づいて、前記第１のタイプの品目のロケーションを決定することとを備える方法。
[Ｃ２]  前記それぞれの第１および第２の指示は各々、前記第１のタイプの品目のそれぞれの第１および第２の発見時間を備え、前記第１のタイプの品目の前記ロケーションを決定することは、前記第１および第２の発見時間にさらに基づく、Ｃ１に記載の方法。
[Ｃ３]  前記それぞれの第１および第２の複数のロケーションは各々、
前記それぞれの第１および第２の発見時間から閾時間期間内に前記それぞれの第１および第２のモバイルデバイスによって訪問されたロケーション、または
前記それぞれの第１および第２のモバイルデバイスが、前記それぞれの第１および第２のモバイルデバイスによって、静止している、実質的に静止している、もしくは前記第１のタイプの品目を入手することに一致する動きをしていると決定されたロケーションおよび時間のうちの少なくとも１つを備える、Ｃ２に記載の方法。
[Ｃ４]  前記第１のモバイルデバイスが前記ロケーションに存在することと、前記第１の発見時間との間に経過した時間に基づいて、前記第１の複数のロケーションの各ロケーションを重み付けすることと、ここにおいて、ロケーションの前記重みは、経過する時間が削減されると増す、
前記第２のモバイルデバイスが前記ロケーションに存在することと、前記第２の発見時間との間に経過した時間に基づいて、前記第２の複数のロケーションの各ロケーションを重み付けすることと、ここにおいて、ロケーションの前記重みは、経過する時間が削減されると増す、
前記重み付けに基づいて前記品目の前記ロケーションを決定することとをさらに備える、Ｃ２に記載の方法。
[Ｃ５]  前記第１の指示は、前記第１のタイプの品目を見つけることに対応する前記第１の複数のロケーション中のロケーションを備え、
前記第２の指示は、前記第１のタイプの品目を見つけることに対応する前記第２の複数のロケーション中のロケーションを備える、Ｃ１に記載の方法。
[Ｃ６]  前記コンピュータシステムによって、前記第１のロケーション履歴および前記第２のロケーション履歴が特定の店舗に関連付けられていると決定することをさらに備える、Ｃ１に記載の方法。
[Ｃ７]  前記コンピュータシステムによって、前記第１のタイプの品目の前記決定されたロケーションに基づいて、前記第１のタイプの品目を前記特定の店舗の内装レイアウトのマップ上のロケーションに関連付ける情報を作成することをさらに備える、Ｃ６に記載の方法。
[Ｃ８]  前記第１のタイプの品目の前記ロケーションについての要求を受信することと、
前記第１のタイプの品目の前記ロケーションを与えることと、ここにおいて、前記与えられるロケーションは、前記決定されたロケーションである、をさらに備える、Ｃ１に記載の方法。
[Ｃ９]  前記与えられるロケーションは、基準ロケーションと、前記基準ロケーションに相対したロケーションとを備える、Ｃ８に記載の方法。
[Ｃ１０]  前記第１のタイプの品目を取り出すための経路を決定することと、
前記経路を与えることとをさらに備える、Ｃ８に記載の方法。
[Ｃ１１]  前記コンピュータシステムによって、第２のタイプの品目のロケーションを決定することと、
前記コンピュータシステムによって、前記第１のタイプの品目および前記第２のタイプの品目が、あるカテゴリの一部であると決定することと、
前記第１のタイプの品目の前記ロケーションおよび前記第２のタイプの品目の前記ロケーションに基づいて、前記カテゴリに対応するエリアを決定することとをさらに備える、Ｃ１に記載の方法。
[Ｃ１２]  前記第１のロケーション履歴は基準ロケーションを備え、前記基準ロケーションは、前記第１のタイプの品目の前記ロケーション、第２のタイプの品目のロケーションまたは既知のロケーションのうちの少なくとも１つに対応する、Ｃ１に記載の方法。
[Ｃ１３]  前記第１のタイプの品目の前記ロケーションを決定することは、前記基準ロケーションに部分的に基づく、Ｃ１２に記載の方法。
[Ｃ１４]  モバイルデバイスにおいて品目を位置特定するための方法であって、
前記モバイルデバイスによって訪問された複数のロケーションを示す、前記モバイルデバイスについてのロケーション履歴を決定することと、
第１のタイプの品目が前記モバイルデバイスのユーザによって見つけられたという第１の指示を受信することと、
前記ロケーション履歴と、前記第１のタイプの品目が見つかったという第２の指示とを、コンピュータシステムに送ることとを備える方法。
[Ｃ１５]  前記第２の指示は、前記第１の指示が受信された時間を備える、Ｃ１４に記載の方法。
[Ｃ１６]  前記複数のロケーションは、
前記第１の指示が受信された前記時間から閾時間期間内に、前記モバイルデバイスによって訪問されたロケーション、または
前記モバイルデバイスが、前記モバイルデバイスによって、静止している、実質的に静止している、もしくは前記第１のタイプの品目を入手することに一致する動きをしていると決定されたロケーションおよび時間のうちの少なくとも１つを備える、Ｃ１５に記載の方法。
[Ｃ１７]  前記モバイルデバイスが前記ロケーションに存在することと、前記第１の指示が受信された前記時間との間に経過した時間に基づいて、前記複数のロケーションの各ロケーションを重み付けすることと、ここにおいて、ロケーションの前記重みは、経過する時間が削減されると増す、
各ロケーションの前記重みを、前記コンピュータシステムに送られる前記ロケーション履歴中に含めることとをさらに備える、Ｃ１５に記載の方法。
[Ｃ１８]  前記第２の指示は、前記第１の指示が受信されたときの前記モバイルデバイスのロケーションに対応する、前記複数のロケーション中のロケーションを備える、Ｃ１４に記載の方法。
[Ｃ１９]  特定の店舗の指示を前記コンピュータシステムに送ることをさらに備える、Ｃ１４に記載の方法。
[Ｃ２０]  前記第１のタイプの品目の前記ロケーションについての要求を前記コンピュータシステムに送ることと、
前記第１のタイプの品目のロケーションまたは前記第１のタイプの品目についての経路のうちの少なくとも１つを、前記コンピュータシステムから受信することと、
前記ロケーションおよび前記経路のうちの少なくとも１つに基づいて、前記モバイルデバイスの前記ユーザに方向を与えることとをさらに備える、Ｃ１４に記載の方法。
[Ｃ２１]  前記第１のタイプの品目の前記ロケーションは、基準ロケーションと、前記基準ロケーションに相対したロケーションとを備える、Ｃ２０に記載の方法。
[Ｃ２２]  前記ロケーション履歴は基準ロケーションを備え、前記基準ロケーションは、前記第１の指示が受信されたときの前記モバイルデバイスの前記ロケーション、第２のタイプの品目が見つかったという指示が受信されたとき、または既知のロケーションが見つかったという指示が受信されたときの前記モバイルデバイスの前記ロケーションのうちの少なくとも１つに対応する、Ｃ１４に記載の方法。
[Ｃ２３]  第１のモバイルデバイスによって訪問された第１の複数のロケーションを示す第１のロケーション履歴を受信し、
前記第１のモバイルデバイスから、見つかった第１のタイプの品目の第１の指示を受信し、
第２のモバイルデバイスによって訪問された第２の複数のロケーションを示す第２のロケーション履歴を受信し、
前記第２のモバイルデバイスから、見つかった前記第１のタイプの品目の第２の指示を受信するように構成された通信インターフェースと、
前記通信インターフェースと通信可能に結合されるとともに、前記第１の複数のロケーションおよび前記第２の複数のロケーションに基づいて、前記第１のタイプの品目のロケーションを決定するように構成されたプロセッサとを備えるサーバ。
[Ｃ２４]  前記プロセッサは、前記第１のタイプの品目を見つけた第１および第２の時間にさらに基づいて、前記第１のタイプの品目の前記ロケーションを決定するように構成され、前記第１および第２の発見時間は、前記それぞれの第１および第２の指示に含まれる、Ｃ２３に記載のサーバ。
[Ｃ２５]  前記プロセッサは、
前記第１のモバイルデバイスが前記ロケーションに存在することと、前記第１の発見時間との間に経過した時間に基づいて、前記第１の複数のロケーションの各ロケーションを重み付けし、ここにおいて、ロケーションの前記重みは、経過する時間が削減されると増す、
前記第２のモバイルデバイスが前記ロケーションに存在することと、前記第２の発見時間との間に経過した時間に基づいて、前記第２の複数のロケーションの各ロケーションを重み付けし、ここにおいて、ロケーションの前記重みは、経過する時間が削減されると増す、
前記重み付けに基づいて前記品目の前記ロケーションを決定するように構成される、Ｃ２４に記載のサーバ。
[Ｃ２６]  前記プロセッサは、前記第１のロケーション履歴および前記第２のロケーション履歴が特定の店舗に関連付けられていると決定するように構成される、Ｃ２３に記載のサーバ。
[Ｃ２７]  前記通信インターフェースは、前記第１のタイプの品目の前記ロケーションについての要求を受信するようにさらに構成され、
前記処理ユニットは、前記サーバに、前記第１のタイプの品目の前記ロケーションを与えさせるようにさらに構成される、ここにおいて、前記与えられるロケーションは、前記決定されたロケーションである、Ｃ２３に記載のサーバ。
[Ｃ２８]  モバイルデバイスであって、
前記モバイルデバイスによって訪問された複数のロケーションを示す、前記モバイルデバイスについてのロケーション履歴を決定するように構成されたプロセッサと、
第１のタイプの品目が前記モバイルデバイスのユーザによって見つけられたという第１の指示を受信するように構成されたユーザインターフェースと、
前記ロケーション履歴と、前記第１のタイプの品目が見つかったという第２の指示とを、コンピュータシステムに送るように構成された通信インターフェースとを備えるモバイルデバイス。
[Ｃ２９]  前記プロセッサは、
前記モバイルデバイスが前記ロケーションに存在することと、前記第１の指示が受信された前記時間との間に経過した時間に基づいて、前記複数のロケーションの各ロケーションを重み付けし、ここにおいて、ロケーションの前記重みは、経過する時間が削減されると増す、
各ロケーションの前記重みを、前記コンピュータシステムに送られる前記ロケーション履歴中に含めるように構成される、Ｃ２８に記載のモバイルデバイス。
[Ｃ３０]  前記プロセッサは、前記モバイルデバイスに、前記通信インターフェースを介して、特定の店舗の指示を前記コンピュータシステムに送らせるように構成される、Ｃ２８に記載のモバイルデバイス。
[Ｃ３１]  前記プロセッサは、前記モバイルデバイスに、
前記通信インターフェースを介して、前記第１のタイプの品目の前記ロケーションについての要求を前記コンピュータシステムに送らせ、
前記通信インターフェースを介して、前記第１のタイプの品目のロケーションまたは前記第１のタイプの品目についての経路のうちの少なくとも１つを前記コンピュータシステムから受信させ、
前記ロケーションおよび前記経路のうちの少なくとも１つに基づいて、前記モバイルデバイスの前記ユーザに方向を与えさせるように構成される、Ｃ２８に記載のモバイルデバイス。
[Ｃ３２]  第１のモバイルデバイスによって訪問された第１の複数のロケーションを示す第１のロケーション履歴を受信するための手段と、
前記第１のモバイルデバイスから、見つかった第１のタイプの品目の第１の指示を受信するための手段と、
第２のモバイルデバイスによって訪問された第２の複数のロケーションを示す第２のロケーション履歴を受信するための手段と、
前記第２のモバイルデバイスから、見つかった前記第１のタイプの品目の第２の指示を受信するための手段と、
前記第１の複数のロケーションおよび前記第２の複数のロケーションに基づいて、前記第１のタイプの品目のロケーションを決定するための手段とを備える装置。
[Ｃ３３]  前記第１のタイプの品目の前記ロケーションを決定するための前記手段は、前記第１および第２の発見時間が前記それぞれの第１および第２の指示の中に含まれているとき、前記第１のタイプの品目を発見した第１および第２の時間に前記決定を基づかせるように構成される、Ｃ３２に記載の装置。
[Ｃ３４]  前記第１のモバイルデバイスが前記ロケーションに存在することと、前記第１の発見時間との間に経過した時間に基づいて、前記第１の複数のロケーションの各ロケーションを重み付けするための手段と、ここにおいて、ロケーションの前記重みは、経過する時間が削減されると増す、
前記第２のモバイルデバイスが前記ロケーションに存在することと、前記第２の発見時間との間に経過した時間に基づいて、前記第２の複数のロケーションの各ロケーションを重み付けするための手段と、ここにおいて、ロケーションの前記重みは、経過する時間が削減されると増す、
前記重み付けに基づいて前記品目の前記ロケーションを決定するための手段とをさらに備える、Ｃ３３に記載の装置。
[Ｃ３５]  前記第１のロケーション履歴および前記第２のロケーション履歴が特定の店舗に関連付けられていると決定するための手段をさらに備える、Ｃ３２に記載の装置。
[Ｃ３６]  前記第１のタイプの品目の前記ロケーションについての要求を受信するための手段と、
前記第１のタイプの品目の前記ロケーションを与えるための手段と、ここにおいて、前記与えられるロケーションは、前記決定されたロケーションである、をさらに備える、Ｃ２３に記載の装置。
[Ｃ３７]  モバイルデバイスによって訪問された複数のロケーションを示す、前記モバイルデバイスについてのロケーション履歴を決定するための手段と、
第１のタイプの品目が前記モバイルデバイスのユーザによって見つけられたという第１の指示を受信するための手段と、
前記ロケーション履歴と、前記第１のタイプの品目が見つかったという第２の指示とを、コンピュータシステムに送るための手段とを備える装置。
[Ｃ３８]  前記モバイルデバイスが前記ロケーションに存在することと、前記第１の指示が受信された前記時間との間に経過した時間に基づいて、前記複数のロケーションの各ロケーションを重み付けするための手段と、ここにおいて、ロケーションの前記重みは、経過する時間が削減されると増す、
各ロケーションの前記重みを、前記コンピュータシステムに送られる前記ロケーション履歴中に含めるための手段とをさらに備える、Ｃ３７に記載の装置。
[Ｃ３９]  特定の店舗の指示を前記コンピュータシステムに送るための手段をさらに備える、Ｃ３７に記載の装置。
[Ｃ４０]  前記第１のタイプの品目の前記ロケーションについての要求を前記コンピュータシステムに送り、
前記第１のタイプの品目のロケーションまたは前記第１のタイプの品目についての経路のうちの少なくとも１つを、前記コンピュータシステムから受信し、
前記ロケーションおよび前記経路のうちの少なくとも１つに基づいて、前記モバイルデバイスの前記ユーザに方向を与えるための手段をさらに備える、Ｃ３７に記載の装置。